(57)【要約】      （修正有）【課題】配送物に貼付される配送票と一体に熨斗部が設けられる熨斗付き配送伝票に関し、配送情報との一括印刷での障害を回避し、堅固な熨斗とさせる配送伝票を提供する。【解決手段】上基材１２に配送票と共に切込線２７〜２９で区画される熨斗部２０とが、重ね合わされる下基材１３の対応した領域と貼着層（熨斗形成貼着層１５）で貼着され、下基材１３の熨斗部２０に対応する領域の裏面で熨斗天部となる部分及び熨斗天部より延出する周縁に沿ったライン状の部分に貼着層３１Ｃ，３１Ｄを設け、重ね合わされる台紙１４の下基材１３の熨斗部２０に対応する領域に設けられた貼着層３１Ｃ，３１Ｄに対応する領域に剥離層３３Ａを設ける構成とする。【選択図】図１
2015066816.tif 000002
【特許請求の範囲】
【請求項１】
配送流通上に配送物に貼付される配送票及び当該配送物に収容される商品に貼付される熨斗部が切込線で区画される上基材と、
前記上基材と重ね合わされるもので、前記熨斗部に対応する領域が切込線で区画され、その上基材との重ね合わせ面で、当該上基材の少なくとも配送票の一部を剥離可能として貼着すると共に、当該熨斗部を貼着する熨斗形成貼着層が設けられ、上記上基材との重ね合わせ面の裏面で、当該配送票に対応する貼着層が設けられると共に、当該熨斗部に対応する領域における熨斗天部となる部分及び当該熨斗天部より延出する周縁に沿ったライン状の部分に貼着層が設けられる下基材と、
前記下基材の裏面と重ね合わされるもので、その下基材との重ね合わせ面で、前記下基材の少なくとも前記配送票に対応する領域に設けられた貼着層に対応する領域に剥離層が設けられると共に、前記熨斗部に対応する領域に設けられた貼着層に対応する領域に剥離層が設けられる台紙と、
を有することを特徴とする熨斗付き配送伝票。
【請求項２】
請求項１記載の熨斗付き配送伝票であって、前記下基材の前記熨斗部に対応する領域の裏面で前記ライン状に設けられた貼着層のうち、前記熨斗天部に対向する側の一隅部を非貼着領域とすることを特徴とする熨斗付き配送伝票。
【発明の詳細な説明】
【技術分野】
【０００１】
本発明は、配送物に貼付される配送票と一体に熨斗部が設けられる熨斗付き配送伝票に関する。
【背景技術】
【０００２】
近年、配送伝票に一体で熨斗部が設けられた配送伝票が使用されてきている。このような配送伝票は、配送票に配送情報を印刷する際に熨斗部についてもプリンタで一括に表記内容を形成させるべく平坦性を保つ必要があり、当該熨斗部は配送票の構造と同様の構造とされる。熨斗部は、後に分離されて商品に付されるもので、外観的な安定性が求められると共に、取り扱い時、特にプリンタによる印刷時においてもめくれや折れ曲がりなど回避する必要がある。
【０００３】
従来、熨斗部分を備える配送伝票として、特許文献１に記載されているものが知られている。特許文献１に記載されている配送伝票は、配送票に熨斗部分が切込みにより区画されて並設され、当該熨斗部分において、その裏面の天面部分のみに接着剤層が設けられ、当該接着剤層にラベル基材用紙が設けられ、当該ラベル用紙の裏面側で粘着層を介して離型紙が位置される構造のものとして知られている。
【０００４】
上記配送伝票においては、熨斗部分の天面部分以外の部分には何も設けられておらず、ラベル基材用紙とは剥離層を介して単に接触されている状態となっている。そして、当該熨斗部分を単一用紙として端辺などから分離させていき、天面部分で粘着層が設けられたラベル基材用紙と共に離型紙より剥離することで分離して当該粘着層で商品に貼付るものである。
【先行技術文献】
【特許文献】
【０００５】
【特許文献１】特許第４６３２２２４号公報
【発明の概要】
【発明が解決しようとする課題】
【０００６】
しかしながら、配送伝票と一体で形成される熨斗部分は、天面部分以外の部分は単一用紙であることから、取り扱い時の作業性が良好ではあるものの、配送情報等の印刷の際にめくれや折れ曲がり易いという問題があり、商品に貼付した状態においてもめくれや浮いて揺れるなど外観上好ましくない状態となり易いという問題がある。
【０００７】
そこで、本発明は上記課題に鑑みなされたもので、配送情報との一括印刷での障害を回避し、堅固な熨斗とさせる熨斗付き配送伝票を提供することを目的とする。
【課題を解決するための手段】
【０００８】
上記課題を解決するために、請求項１の発明では、配送流通上に配送物に貼付される配送票及び当該配送物に収容される商品に貼付される熨斗部が切込線で区画される上基材と、前記上基材と重ね合わされるもので、前記熨斗部に対応する領域が切込線で区画され、その上基材との重ね合わせ面で、当該上基材の少なくとも配送票の一部を剥離可能として貼着すると共に、当該熨斗部を貼着する熨斗形成貼着層が設けられ、上記上基材との重ね合わせ面の裏面で、当該配送票に対応する貼着層が設けられると共に、当該熨斗部に対応する領域における熨斗天部となる部分及び当該熨斗天部より延出する周縁に沿ったライン状の部分に貼着層が設けられる下基材と、前記下基材の裏面と重ね合わされるもので、その下基材との重ね合わせ面で、前記下基材の少なくとも前記配送票に対応する領域に設けられた貼着層に対応する領域に剥離層が設けられると共に、前記熨斗部に対応する領域に設けられた貼着層に対応する領域に剥離層が設けられる台紙と、を有する構成とする。
【０００９】
請求項２の発明では、前記下基材の前記熨斗部に対応する領域の裏面で前記ライン状に設けられた貼着層のうち、前記熨斗天部に対向する側の一隅部を非貼着領域とする構成である。
【発明の効果】
【００１０】
請求項１の発明によれば、上基材に配送票と共に区画される熨斗部とが重ね合わされる下基材の対応した領域と熨斗形成貼着層で貼着され、当該下基材の熨斗部に対応する領域の裏面で熨斗天部となる部分及び当該熨斗天部より延出する周縁に沿ったライン状の部分に貼着層を設け、重ね合わされる台紙の当該下基材の熨斗部に対応する領域に設けられた貼着層に対応する領域に剥離層を設ける構成とすることにより、熨斗部は上基材と下基材の２層状態で台紙より分離されることとなり、商品に貼付する熨斗として堅固とさせてめくれや浮いた状態となることを回避することができると共に、プリンタによる印刷時にめくれや折れ曲がりなどを生じることを防止することができるものである。
【００１１】
請求項２の発明によれば、下基材の熨斗部に対応する領域の裏面でライン状に設けられた貼着層のうち、熨斗天部に対向する側の一隅部を非貼着領域とすることにより、台紙より熨斗部を下基材と共に分離する際に非貼着領域の隅部を取っ掛かりとして容易に分離させることができるものである。
【図面の簡単な説明】
【００１２】
【図１】本発明に係る熨斗付き配送伝票の構成図である。
【図２】図１の各部断面説明図である。
【図３】図１の配送伝票の使用形態の説明図（１）である。
【図４】図１の配送伝票の使用形態の説明図（２）である。
【図５】図１の配送伝票の使用形態の説明図（３）である。
【図６】図１の配送伝票の使用形態の説明図（４）である。
【発明を実施するための形態】
【００１３】
以下、本発明の実施形態を図により説明する。本実施形態において、熨斗部が一体化される配送票については３層構造であれば何れの構造であっても適用することができるものである。
図１に本発明に係る配送伝票の第１実施形態の構成図を示すと共に、図２に図１の各部断面説明図を示す。図１（Ａ）、（Ｂ）において、配送伝票１１は、上基材１２、下基材１３及び台紙１４の３層構造で構成され、上基材１２と下基材１３との間には熨斗形成貼着層１５が介在され、下基材１３と台紙１４との間には熨斗搭載貼着層１６が介在される。
【００１４】
上記上基材１２は、例えば上質紙等が使用されるもので、熨斗部２０並びにお届け票２１、配達票２２及び控え票である配送控２３により構成され、当該お届け票２１及び配達票２２が配送票となる。熨斗部２０は切込線２７〜２９で区画され、お届け票２１及び配達票２２の配送票及び配送控２３は切込線２７で区画され、当該配送票は切込線２４及び切取ミシン目線２５で区画されて連設される。熨斗部２０は、図１（Ｂ）に示すように、上基材１２及び下基材１３の２層状態のものとして配送物に収容される商品に貼付されるものとなると共に、お届け票２１及び配達票２２の配送票が配送流通上で配送物に貼付されるものとなり、連設された配送控２３は発送元で配送時に切取ミシン目線２５より分離されるものとなる。
【００１５】
上基材１２と下基材１３とは重ね合わせ貼着される。下基材１３は、例えば上質紙等が使用されるもので、配送票（お届け票２１、配送票２２）に対応する領域が切込線２６，２７で区画され、配送控２３に対応する領域が切込線２６で区画されると共に（図１（Ａ）、図２（Ｄ））、熨斗部２０に対応する領域が切込線２７〜２９で区画される（図１（Ａ）、図２（Ａ））。この場合、切込線２６は上基材１２との重ね合わせ時の切取ミシン目線２５の形成位置より配送控２３側にずらせた位置にが形成される。この切込線２６を境に配送票（お届け票２１、配達票２２）側を第１下基材１３Ａとし、配送控２３側を第２下基材１３Ｂとする。そして、上基材１２に形成された切取ミシン目線２５と、下基材１３に形成された切込線２６とで挟まれる領域を、貼着系の部材を設けない非貼着領域３２Ｃとしている（図２（Ｄ））。
【００１６】
上基材１２と下基材１３との重ね合わせ面では、配送票の一部となるお届け票２１の裏面に第１貼着層としての粘着層３１Ａが設けられ、配送票の他部となる配達票２２の裏面に剥離後再貼付性の無い疑似接着層３２Ａが設けられると共に、配送控２３の裏面に疑似接着層３２Ｂが設けられる。また、熨斗部２０となる領域の裏面全面に粘着層３１Ａが設けられる。当該粘着層３１Ａ及び疑似接着層３２Ａ，３２Ｂが熨斗形成貼着層１５となる。なお、お届け票２１は下基材１３に対して剥離させるものではないことから、剥離不能な強接着の粘着剤が使用されるが、剥離させないものであっても作製工程上から疑似接着層としてもよいものである。
【００１７】
下基材１３の裏面であって、お届け票２１、配達票２２及び配送控２３に対応する領域の裏面全面には第２貼着層としての粘着層３１Ｂが設けられる。なお、お届け票２１、配達票２２及び配送控２３並びに熨斗部２０以外の他の裏面にも粘着層３１Ｂが設けられる。また、下基材１３の熨斗部２０に対応する領域の裏面には、図１（Ｃ）、図２（Ａ）に示すように、まず、その周囲縁部を適宜所定幅で貼着系の部材を設けない非貼着領域２０Ａとする。
【００１８】
図１（Ｃ）及び図２（Ａ）〜（Ｃ）に示すように、熨斗部２０の一方端の熨斗天部となる部分に貼着層３１Ｃが設けられると共に、当該熨斗天部より延出する周縁に沿ったライン状の部分に貼着層３１Ｄが設けられる。幅狭とすることで粘着層３１Ｄによる貼着を弱めて剥離、再剥離を可能として熨斗部２０を商品に貼付するときに貼り直しを可能とすることができる。
【００１９】
この場合、下基材１３の熨斗部２０に対応する領域の裏面において、ライン状に設けられた貼着層３１Ｄのうち、熨斗天部に対向する側の一隅部を非貼着領域２０Ｃとしている。また、熨斗天部となる領域の貼着層３１Ｃ及びライン状の貼着層３１Ｄで囲まれる領域２０Ｂも非貼着領域となる。上記非貼着領域２０Ａは、熨斗部２０が後述する台紙１４に貼着している状態でプリンタなどによって押圧力が加えられたときに、設けられた貼着層３１Ｃ，３１Ｄの部材が外部にはみ出すことを防止するためのものであり、非貼着領域２０Ｃは配達伝票１１より熨斗部２０を分離するときに取っ掛かりとして分離し易いようにするためのものである。
【００２０】
下基材１３と台紙１４とは重ね合わせ貼着される。台紙１４は、例えば上質紙等が使用されるもので、下基材１３との重ね合わせ面では、台紙１４上の上記第１下基材１３Ａに対応する領域に剥離層３３が設けられる。また、図１（Ｄ）、図２（Ａ）〜（Ｃ）に示すように、下基材１３の熨斗部２０に対応する領域に設けられた貼着層３１Ｃ，３１Ｄに対応する領域に剥離層３３Ａが設けられる。
【００２１】
また、下基材１３裏面に形成された非貼着領域２０Ｃに対応した部分を特に剥離層を設けない非形成領域としている。上記第２下基材１３Ｂに対応する領域と、下基材１３の熨斗部２０に対応する領域以外の領域とには何も形成されていない。
【００２２】
特に、熨斗部２０に対応する領域では、何も形成されない非形成領域３４Ｂ，３５となり、当該非形成領域３４Ｂは上記非貼着領域２０Ａと対応される領域であり、非形成領域３５は上記非貼着領域２０Ｃと対応される領域である。すなわち、剥離層３３，３３Ａは、下基材１３の切込線２６を境に配送票側にのみ、及び、貼着層３１Ｃ，３１Ｄに対応する領域に設けられることとなる。なお、剥離層３３Ａを貼着層３１Ｃ，３１Ｄに対応させて部分的に設けることなく、熨斗部２０となる下基材１３に対応する全領域に剥離層を形成しても問題はない。
【００２３】
この場合、台紙１４上で何も形成されていない領域では第２下基材１３Ｂの裏面に設けられた粘着層３１Ｂにより剥離不能に貼着されるものである。当該粘着層３１Ｂ、貼着層３１Ｃ，３１Ｄ及び剥離層３３，３３Ａが熨斗搭載貼着層１６となる。なお、この第２下基材１３Ｂ裏面に対向する台紙１４上に剥離層３３が形成されていても、切込線２６により第１下基材１３Ａと第２下基材１３Ｂが分離し、第２下基材１３Ｂが台紙１４側に残る為に問題はない。
【００２４】
次に、図３〜図６に、図１の配送伝票の使用形態の説明図を示す。まず、図３（Ａ）において、配送伝票１１は、上基材１２を構成するお届け票２１、配達票２２及び配送控２３の記入欄にプリンタで日付、送り主、お届け先、品名などの情報を形成すると共に、熨斗部２０に例えば「祝」、「お中元」、「お歳暮」や、送り主名を一括で形成する。
【００２５】
情報の形成後、図３（Ｂ）に示すように、熨斗部２０の上記非貼着領域２０Ａ（下基材１３の裏面）及び非形成領域３５（台紙１４上）の部分である一隅部よりめくり上げ、図４（Ａ）に示すように、熨斗部２０全部を分離する。そして、図４（Ｂ）に示すように、贈る商品４２に当該熨斗部２０を位置決めして貼付する。このときの位置決めの際には裏面の貼着層３１Ｃ，３１Ｄを軽く貼着させて位置決めを行った後に貼付状態とさせる。特に、貼着層３１Ｄはライン状に幅狭で設けられていることから、位置が定まるまでやり直して貼付させることができるものである。当該熨斗部２０が貼付された商品４２は、配送用梱包材に収容されて配送物４３となる。
【００２６】
続いて、図５に示すように、お届け票２１側の一隅部から上基材１２及び下基材１３（第１下基材１３Ａ）を共に台紙１４より剥離していく。このとき、下基材１３の裏面のお届け票２１及び配達票２２に対応する領域には粘着層３１Ｂが設けられ、対応する台紙１４上には剥離層３３が設けられていることから容易に剥離されていく。
【００２７】
上記剥離は、切取ミシン目線２５に対応する部分を過ぎて、下基材１３に形成された切込線２６に達したとき、第２下基材１３Ｂの裏面が台紙１４上に貼着されており、また、第２下基材１３Ｂの上面と上基材１２の配送控２３の裏面との間に剥離可能な疑似接着層３２Ｂが設けられていることから、第２下基材１３Ｂを台紙１４側に残したまま疑似接着層３２Ｂで上基材１２の配送控２３部分が第２下基材１３Ｂより剥離される。これによって、台紙１４より、お届け票２１、配達票２２及び配送控２３で構成する上基材１２と下基材１３の第１下基材１３Ａが剥離されるもので、配送控２３はその下層に下基材を有しない単一層として連設された配送票４１となるものである。
【００２８】
そして、図６（Ａ）に示すように、配送票４１を配送物４３上に貼付する。この場合、下基材（第１下基材１３Ａ）の裏面に設けられている粘着層３１Ｂによって貼付されもので、配送控２３には下基材や貼着系の部材が存在せず、配送物上には貼着されない状態となる。当該配送票４１が貼付された配送物４３は発送元まで運ばれる。
【００２９】
発送元では、図６（Ｂ）に示すように、配送票４１が貼付された配送物４３を配送流通上に置く直前に、発送確認として配送控２３を配達票２２より切取ミシン目線２５で切り取って保管する。この配送控２３の切り取りに際しては、配送控２３の裏面の切取ミシン目線２５の近傍に貼着系の部材が設けられていない非貼着領域３２Ｃが存在して何れにも貼着されていないことから、配送控２３の作業者による切取ミシン目線２５での切り取りが容易かつスムーズに行われるものである。
【００３０】
そして、配送控２３が切り取られた配送票４１は、配送流通を経て受取人に届くまでお届け票２１及び配達票２２のみが配送物４３に貼付された状態となる。配送票４１を貼付した配送物４３が受取人に届けられると、配達票２２の受領印欄への受取人による押印の後に、切込線２４より疑似接着層３２Ａで疑似接着されている配達票２２が剥離され（配達票２２の一の隅部に剥離しやすいように切欠を形成してもよい）、配達者によって剥離されて持ち帰られることとなるものである。
【００３１】
このように、熨斗部２０は上基材と下基材の２層状態で台紙１４より分離されることとなり、商品４２に貼付する熨斗として堅固とさせてめくれや浮いた状態となることを回避することができると共に、プリンタによる印刷時にめくれや折れ曲がりなどを生じることを防止することができるものである。
【００３２】
また、下基材１３の熨斗部２０に対応する領域の裏面でライン状に設けられた貼着層３１Ｄのうち、熨斗天部に対向する側の一隅部を非貼着領域２０Ｃ（台紙１４上では非形成領域３５）としていることから、台紙１４より熨斗部２０を対応の下基材１３と共に分離する際に非貼着領域２０Ｃの隅部を取っ掛かりとして容易に分離させることができるものである。
【産業上の利用可能性】
【００３３】
本発明の熨斗付き配送伝票は、印刷面を同一とする帳票と一体で設けられて再剥離可能に熨斗部を備える多層シートに利用可能である。
【符号の説明】
【００３４】
１１                配送伝票
１２                上基材
１３                下基材
１４                台紙
１５                熨斗形成貼着層
１６                熨斗搭載貼着層
２０                熨斗部
２１                お届け票
２２                配達票
２３                配達控
２４，２６〜２９    切込線
２５                切取ミシン目線
３１Ａ，３１Ｂ      粘着層
３１Ｃ，３１Ｄ      貼着層
３２Ａ，３２Ｂ      疑似接着層
２０Ａ〜２０Ｃ      非貼着領域
３２Ｃ，３４        非貼着領域
３３                剥離層
３５                非形成領域
４１                配送票
４２                商品
４３                配送物
【図１】
2015066816.tif 000003
【図２】
2015066816.tif 000004
【図３】
2015066816.tif 000005
【図４】
2015066816.tif 000006
【図５】
2015066816.tif 000007
【図６】
2015066816.tif 000008